(57)【特許請求の範囲】
【請求項１】
外箱ａ内に内筒ｂを配設してなる可撓性容器等の収納箱であって、
外箱ａは、矩形の底面部１の四辺に立設する相対応した二組の側板２，２’、３，３’の上縁に蓋部４を備えた四角筒状とし、
内筒ｂは、上記二組の側板のうち何れか一組の側板２，２’内面に固定される相対応した一組の固定板１０，１０’と、これら両固定板の両側縁間に連設される相対応した一組の長辺側斜板１１，１１’及び相対応した一組の短辺側斜板１２，１２’からなる略六角筒状とし、
隣接する長辺側斜板１１，１１’と短辺側斜板１２，１２’は、その連設縁になる折線４１，４４が外箱ａの対角線上の隅角部５，５’近傍に位置するよう連設して、外箱ａ内に略六角筒状の内筒ｂが配設された状態で扁平状に折り畳み可能に構成すると共に、
上記内筒ｂ内に収納される可撓性容器等からの内圧により長辺側斜板１１，１１’が中途部５０，５１で折れ曲がり該内筒ｂが略八角筒状に変形するよう構成したことを特徴とする可撓性容器等の収納箱。
【請求項２】
前記二組の側板のうち、固定板１０，１０’が固定されない一組の側板３，３’の幅方向ほぼ中央にハンドリング穴７，７’を形成したことを特徴とする請求項１記載の可撓性容器等の収納箱。
【発明の詳細な説明】
【０００１】
【発明の属する技術分野】
本発明は、液体、粘体、粉体などの流動性物品を収容する可撓性容器等を収納し、運搬，保管用の容器として使用される収納箱に関する。
【０００２】
【従来の技術】
従来から、味噌，醤油，フルーツソース，油，薬液などの液体や粘体、その他の粉体等の流動性物品を収容する容器として、ドラム缶やスチール缶などが広く使われているが、重量が重く輸送，保管などのコストが高くつく、廃棄処理が困難であるなどの問題がある。
このため近年では、前記流動性物品を収容する軟質プラスチック製薄肉容器またはビニール袋等の可撓性容器を、段ボール製外箱内に収納した所謂バッグインボックスが、ドラム缶，スチール缶に代わるものとして使われつつある。またこの種バッグインボックスにおいて、外箱内に八角筒状の段ボール製内筒を配設し、可撓性容器の内容物の内圧による外箱の胴膨れを防止するようにしたものが各種提案されている（例えば特開平７−３１５４３６号等参照）。
【０００３】
【発明が解決しようとする課題】
しかし乍ら従来のバッグインボックスは、内筒を構成する相対応する二組の側板が外箱内面に固定されるので、組み立てた後に扁平状に折り畳むことが出来ず、集積，保管に当たって膨大なスペースが必要とされるので、組み立て前の展開状態とした段ボールブランクを搬送し使用現場でその段ボールブランクの所要箇所を折り曲げたり貼り着けるなどして組み立てており、組み立て作業が面倒であるなどの不具合があった。
【０００４】
またこの種バッグインボックスは、可撓性容器に内容物を収容した状態で相当の重量になるため、外箱に設けたハンドリング穴に鉤状吊り具を差し込んでフォークリフト等で吊り上げて運搬しているが、ハンドリング穴に差し込む鉤状吊り具の先端部が可撓性容器を損傷させる虞れがある。よって、可撓性容器との間に隙間が形成される外箱の隅角部近傍にハンドリング穴を形成することも考えられるが、この場合、フォークリフトで吊り上げる際のバランスが崩れる可能性がある。
【０００５】
本発明はこのような従来事情に鑑みてなされたもので、その目的とするところは、外箱内に内筒を配設した状態で扁平状への折り畳みを自在として、組み立て容易な可撓性容器等の収納箱を提供することにある。また本発明は、ハンドリング穴に差し込まれる吊り具により可撓性容器が損傷する虞れがなく、且つフォークリフト等による吊り上げ作業を安全、確実に行い得る可撓性容器等の収納箱を提供することを目的とする。
【０００６】
【課題を解決するための手段】
以上の目的を達成するために、本発明の請求項１では、外箱ａ内に内筒ｂを配設してなる可撓性容器等の収納箱であって、
外箱ａは、矩形の底面部１の四辺に立設する相対応した二組の側板２，２’、３，３’の上縁に蓋部４を備えた四角筒状とし、
内筒ｂは、上記二組の側板のうち何れか一組の側板２，２’内面に固定される相対応した一組の固定板１０，１０’と、これら両固定板の両側縁間に連設される相対応した一組の長辺側斜板１１，１１’及び相対応した一組の短辺側斜板１２，１２’からなる略六角筒状とし、
隣接する長辺側斜板１１，１１’と短辺側斜板１２，１２’は、その連設縁になる折線４１，４４が外箱ａの対角線上の隅角部５，５’近傍に位置するよう連設して、外箱ａ内に略六角筒状の内筒ｂが配設された状態で扁平状に折り畳み可能に構成すると共に、
上記内筒ｂ内に収納される可撓性容器等からの内圧により長辺側斜板１１，１１’が中途部で折れ曲がり該内筒ｂが略八角筒状に変形するよう構成したことを特徴とする。
【０００７】
このように構成した場合、外箱ａ内に略六角筒状の内筒ｂが配設された状態で、外箱ａが対角線上の隅角部６，６’の折線２０，２２に沿って扁平状に折り畳まれると共に、内筒ｂが対向して位置する折線４０，４３に沿って扁平状に折り畳まれる。
また、内筒ｂ内に可撓性容器を収納しその容器内に内容物を収容すると、可撓性容器からの内圧により長辺側斜板１１，１１’が中途部で折れ曲がって内筒ｂが略八角筒状に変形し、前記内圧を該八角筒状の内筒ｂで吸収して、外箱ａの胴膨れを防止する。
【０００８】
また請求項２では、前記二組の側板のうち、固定板１０，１０’が固定されない一組の側板３，３’の幅方向ほぼ中央にハンドリング穴７，７’を形成したことを特徴とする。
【０００９】
このように構成した場合、内筒ｂ内に収納した可撓性容器に内容物が収容され、内筒ｂが略八角筒状に変形した状態において、内筒ｂの長辺側斜辺１１，１１’は中途部で折れ曲がりその一部が側板３，３’のハンドリング穴７，７’開口位置に当接するが、ハンドリング穴７，７’に吊り具先端部を差し込むと長辺側斜辺１１，１１’がその吊り具先端部で内側へ押されて、側板３，３’との間に吊り具先端部が差し込まれる隙間が確保される。
【００１０】
【発明の実施の形態】
以下、本発明の収納箱の実施形態の一例を図面を参照して説明する。
収納箱Ａは、一枚の段ボールブランクａ’の要所を折り曲げると共に固定して四角筒状に構成される外箱ａと、一枚の段ボールブランクｂ’の要所を折り曲げると共に固定して略六角筒状に構成される内筒ｂからなる。
【００１１】
外箱ａの段ボールブランクａ’は図４に示すように、矩形状の側板２，２’及び３，３’を夫々折線２０，２１，２２を介して連設すると共に、各側板下縁に、矩形の底面部１を構成する底片１ａ，１ｂ，１ｃ，１ｄを折線２３，２４，２５，２６を介して連設し、各側板上縁に、矩形の蓋部４を構成する蓋片４ａ，４ｂ，４ｃ，４ｄを折線２７，２８，２９，３０を介して連設し、且つ側板３，３’上部の幅方向ほぼ中央にハンドリング穴７，７’を形成したもので、前記各折線に沿って各フラップを所要方向へ折り曲げると共に、側板２端部に折線３１を介して連設した固定片３２を側板３’の端部外面に重ね合わせ接着若しくはワイヤ止めすることで、四角筒状の外箱ａが形成される。
【００１２】
内筒ｂの段ボールブランクｂ’は図５に示すように、固定板１０，１０’、長辺側斜板１１，１１’、短辺側斜板１２，１２’を折線４０，４１，４２，４３，４４を介して連設したもので、固定板１０’端部に折線４５を介して連設した固定片４６を短辺側斜板１２’の端部外面に重ね合わせて接着することで、略六角筒状の内筒ｂが形成される。
【００１３】
内筒ｂは、相対応する固定板１０，１０’を、外箱ａの相対応する側板２，２’内面に接着すると共に、相対応する長辺側斜板１１，１１’と相対応する短辺側斜板１２，１２’は夫々、外箱ａの相対応する側板３，３’に対し接離可能となるよう斜めに配し、且つ隣接する長辺側斜板１１，１１’と短辺側斜板１２，１２’の連設縁になる折線４１，４４が外箱ａの対角線上の隅角部５，５’近傍に位置するように、外箱ａ内に配設される（図１，図２参照）。
また、側板３の長さL1-1と該側板３の両端に連設する側板２，２’における固定板１０，１０’が固定されない部分の長さL1-2，L1-3の総和L1と、隣接する長辺側斜板１１と短辺側斜板１２’の長さの総和L2とが、L1＝L2＋２(L1-2)の関係になり、且つ、側板３’の長さL1-1’と該側板３’の両端に連設する側板２，２’における固定板１０，１０’が固定されない部分の長さL1-2’，L1-3’の総和L1’と、隣接する長辺側斜板１１’と短辺側斜板１２の長さの総和L2’が、L1’＝L2’＋２(L1-2’)の関係になるようにして、後述する扁平状の折り畳みが自在となるよう構成する（図３，図５参照）。
【００１４】
このようにして形成した収納箱Ａは、四角筒状の外箱ａ内に略六角筒状の内筒ｂが配設された状態で、外箱ａは対角線上に位置する隅角部６，６’の折線２０，２２に沿って扁平状に折り畳むことが出来、且つ内筒ｂは対向状に位置する折線４０，４３に沿って扁平状に折り畳むことが出来る（図６参照）。
【００１５】
また、収納箱Ａは、四角筒状の外箱ａ内に略六角筒状の内筒ｂが配設された状態で、内筒ｂ内に収納した可撓性容器ｃ内に内容物（流動性物品）を収容すると、可撓性容器ｃからの内圧により長辺側斜板１１，１１’が中途部５０，５１で折れ曲がって内筒ｂが略八角筒状に変形し、前記内圧を該八角筒状の内筒ｂで吸収して、外箱ａの胴膨れを防止する（図７〜図１０参照）。
【００１６】
またこの状態で、前記したように長辺側斜辺１１，１１’は折れ曲がりその一部が側板３，３’のハンドリング穴７，７’開口位置に当接するが、ハンドリング穴７，７’に吊り具６０，６１の先端部６２，６３を差し込むと、長辺側斜辺１１，１１’がその先端部６２，６３で内側へ押されて、側板３，３’との間にその先端部６２，６３が差し込まれる隙間７０，７１が確保される。よって、吊り具先端部６２，６３が内筒ｂを突き破って可撓性容器ｃを損傷するような虞れがない。
【００１７】
吊り具６０，６１は連結紐７５で相互に連結されており、その連結紐７５をフォークリフトの爪部７６，７７間に掛け渡して支持され、該吊り具先端部６２，６３が差し込まれるハンドリング穴７，７’は側板３，３’の幅方向中央に形成されているので、可撓性容器ｃを収容した収納箱Ａをバランスよく支持することが出来、フォークリフトによる搬送作業を安全に行うことが出来る。
【００１８】
以上、本発明に係る可撓性容器等の収納箱の実施形態の一例を図面を参照して説明したが、本発明は図示例に限定するものではなく、特許請求の範囲に記載された技術的思想の範疇において種々の変更が可能であることは言うまでもない。
【００１９】
【発明の効果】
本発明に係る可撓性容器等の収納箱は以上説明したように構成したので、以下の効果を奏する。
【００２０】
（請求項１）
外箱内に略六角筒状の内筒を配設した状態で扁平状に折り畳むことが出来るので、集積、保管、搬送にかかるコストを大幅に低減し得、且つ、搬入現場において簡単に組み立てて使用に供することが出来る。また、可撓性容器内に内容物を収容した際に内筒が八角筒状に変形して外箱の胴膨れを防止し得るので、保管，搬送時等に転倒や座屈などを起こして商品価値の低下を招くような虞れもない。さらに、外箱と内筒を段ボールや板紙で構成すれば、従来のドラム缶，スチール缶に比べ大幅な軽量化がなされ、且つ再利用が可能で廃棄処理も簡単に行えるなど、多くの効果を奏する。
【００２１】
（請求項２）
内筒を構成する長辺側斜板と短辺側斜板は外箱の側板に対し接離自在としたので、ハンドリング穴に差し込む吊り具先端部が内筒を突き破って可撓性容器を損傷するような虞れがない。よって、側板の幅方向中央に形成したハンドリング穴に吊り具を差し込んで、フォークリフト等による搬送作業を安全に行うことが出来る。
【図面の簡単な説明】
【図１】可撓性容器に内容物が収容される前の状態の組み立て斜視図。
【図２】図１の横断平面図。
【図３】図２において側板の長さを示す説明図。
【図４】外箱の展開図。
【図５】内筒の展開図。
【図６】折り畳み状態を示す斜視図。
【図７】可撓性容器に内容物が収容された状態の斜視図。
【図８】図７の縦断正面図。
【図９】図８の（Ｘ）−（Ｘ）線に沿う断面図。
【図１０】図８の（Ｙ）−（Ｙ）線に沿う断面図。
【符号の説明】
Ａ：収納箱
ａ：外箱
１：底面部
２，２’：側板
３，３’：側板
４：蓋部
５，５’：隅角部
７，７’：ハンドリング穴
ｂ：内筒
１０，１０’：固定板
１１，１１’：長辺側斜板
５０，５１：中途部
１２，１２’：短辺側斜板
４１，４４：折線
【図１】
0004071505.tif 000002
【図２】
0004071505.tif 000003
【図３】
0004071505.tif 000004
【図４】
0004071505.tif 000005
【図５】
0004071505.tif 000006
【図６】
0004071505.tif 000007
【図７】
0004071505.tif 000008
【図８】
0004071505.tif 000009
【図９】
0004071505.tif 000010
【図１０】
0004071505.tif 000011